(57)【特許請求の範囲】
【請求項１】
表示装置と、
ユーザの歩数情報を取得する歩数情報取得手段と、
前記歩数情報取得手段からの歩数情報によって前記ユーザが歩行しているか否か判断する歩行判断手段と、
携帯端末の傾きを検出する傾き検出手段と、
前記歩行判断手段によって前記ユーザが歩行していないと判断された後、前記傾き検出手段によって所定以上の傾きの変化が検出された場合、前記表示装置を点灯する表示制御手段と、
を有することを特徴とする携帯端末。
【請求項２】
前記表示制御手段は、前記所定以上の傾きの変化が所定時間内に検出された場合、前記表示装置を点灯することを特徴とする請求項１記載の携帯端末。
【請求項３】
前記表示制御手段は、当該携帯端末に所定以上の力が働いた場合には、前記表示装置を点灯しないことを特徴とする請求項１記載の携帯端末。
【請求項４】
前記歩行判断手段によって前記ユーザが歩行してないと判断された場合、当該携帯端末を保持状態に設定する保持状態設定手段と、
当該携帯端末に力が働いた場合、前記保持状態を解除する保持状態解除手段と、
を有し、
前記表示制御手段は、前記保持状態の解除後、前記傾き検出手段によって前記所定以上の傾きの変化が検出された場合に前記表示装置を点灯することを特徴とする請求項１記載の携帯端末。
【請求項５】
前記表示制御手段は、所定時間当該携帯端末が前記所定以上の傾きの変化を維持していた場合に前記表示装置を点灯することを特徴とする請求項４記載の携帯端末。
【発明の詳細な説明】
【技術分野】
【０００１】
本発明は携帯端末に関し、例えばバックライトを備えた表示装置を有する携帯端末に関する。
【背景技術】
【０００２】
従来、携帯電話などの携帯端末では、省電力化のため、ＬＣＤ（Liquid Crystal Display）のバックライトを一定時間経過後にオフしていた。そのため、ユーザは、ＬＣＤに表示される時刻等を見る場合、例えば、携帯端末のサイドキーなどを押下してバックライトをオンしていた。
【０００３】
しかし、暗闇などでは、バックライトをオンするボタンがどこにあるのか見つけるのが困難な場合があり、ＬＣＤに表示される時刻等を見るのが困難な場合があった。
そこで、携帯電話の姿勢が予め定めた基準角度でない状態から、基準角度の状態に変化したことを検出し、バックライトを点灯させる携帯電話が提供されている（例えば、特許文献１参照）。
【０００４】
また、所定の傾きを検知し、その状態が一定時間静止している場合、バックライトを点灯させる携帯通信端末が提供されている（例えば、特許文献２参照）。
【特許文献１】特開２００６−１４０５６号公報
【特許文献２】特開２００７−２０１７８７号公報
【発明の開示】
【発明が解決しようとする課題】
【０００５】
しかし、特許文献１の携帯電話では、ユーザは、バックライトを点灯するために携帯電話を予め定めた基準角度でない状態にして基準角度の状態にしなければならず手間がかかるという問題点があった。
【０００６】
また、特許文献２の携帯通信端末では、ユーザは、ＬＣＤのバックライトを点灯するために一定時間所定の傾きを維持しなければならず、ＬＣＤの表示を直ちに見ることができないという問題点があった。
【０００７】
本件はこのような点に鑑みてなされたものであり、容易かつユーザが表示装置の表示を見たいときに直ちに表示装置を点灯することができる携帯端末を提供することを目的とする。
【課題を解決するための手段】
【０００８】
上記課題を解決するために、表示装置と、ユーザの歩数情報を取得する歩数情報取得手段と、前記歩数情報取得手段からの歩数情報によって前記ユーザが歩行しているか否か判断する歩行判断手段と、携帯端末の傾きを検出する傾き検出手段と、前記歩行判断手段によって前記ユーザが歩行していないと判断された後、前記傾き検出手段によって所定以上の傾きの変化が検出された場合、前記表示装置を点灯する表示制御手段と、を有することを特徴とする携帯端末が提供される。
【発明の効果】
【０００９】
開示の端末では、容易かつユーザが表示装置の表示を確認したいときに直ちに表示装置を点灯することができる。
【発明を実施するための最良の形態】
【００１０】
図１は、携帯端末の概要を説明する図である。図１に示すように携帯端末１は、表示装置２、歩数情報取得手段３、歩行判断手段４、傾き検出手段５、およびバックライト点灯手段６を有している。なお、バックライト点灯手段６は、特許請求の範囲の表示制御手段に相当する。
【００１１】
表示装置２は、バックライトを有する。携帯端末１は、バックライトを消灯して低消費電力化を図ることができる。開示の携帯端末１における表示装置２は、例えば、ＬＣＤの他、有機ＥＬ（electroluminescence）等を含む。
【００１２】
歩数情報取得手段３は、携帯端末１を所持するユーザの歩数情報を取得する。
歩行判断手段４は、歩数情報取得手段３からの歩数情報によって、ユーザが歩行しているか否か判断する。
【００１３】
傾き検出手段５は、携帯端末１の傾きを検出する。
バックライト点灯手段６は、歩行判断手段４によってユーザが歩行していないと判断された後、傾き検出手段５によって携帯端末１の所定以上の傾きの変化が検出された場合、表示装置２のバックライトを点灯する。
【００１４】
ここで、携帯端末１は、例えば、外部からのキー操作等がないため低消費電力モードに移行し、表示装置２のバックライトを消灯しているとする。携帯端末１のバックライト点灯手段６は、歩行判断手段４によってユーザが歩行していないと判断された後、傾き検出手段５によって所定以上の傾きの変化が検出された場合に、表示装置２のバックライトを点灯する。すなわち、バックライト点灯手段６は、携帯端末１が置かれた状態にあり、その後、例えば、ユーザが表示装置２を見るために携帯端末１を持ち上げたなど、静止状態が解除された場合に、表示装置２のバックライトを点灯する。
【００１５】
このように、携帯端末１は、歩行判断手段４によってユーザが歩行していないと判断された後、傾き検出手段５によって携帯端末１の所定以上の傾きの変化が検出された場合、表示装置２のバックライトを点灯するようにした。
【００１６】
これにより、ユーザは、静止した状態の携帯端末１を持ち上げるなどをして携帯端末１を所定以上傾けることにより、容易にバックライトを点灯することができる。また、携帯端末１は、歩行判断手段４によって、ユーザが歩行しているか否か自動で判断するので、ユーザは、表示装置の表示を確認したいときに、携帯端末１を所定時間静止させる必要はなく、携帯端末１を持ち上げるなどをして、携帯端末１を所定以上傾けることにより、直ちに表示装置２のバックライトを点灯することができる。
【００１７】
次に、第１の実施の形態を図面を参照して詳細に説明する。
図２は、第１の実施の形態に係る携帯端末の外観を示した図である。図に示す携帯端末１０は、折り畳み型の携帯電話である。図２の携帯端末１０は、折り畳んだ状態を示している。
【００１８】
携帯端末１０は、本体部１１と蓋部１２とから構成されている。携帯端末１０の蓋部１２を開くと、本体部１１に操作部（例えばキー）が現れ、また、蓋部１２にメイン表示部が現れる。メイン表示部は、例えば、ユーザの操作によって、通話者情報が表示されたり、メール本文などが表示されたりする。
【００１９】
蓋部１２の背面には、図２に示すように、サブ表示部１３が設けられている。サブ表示部１３には、例えば、日付や時刻などの簡単な情報が表示される。これにより、ユーザは、携帯端末１０を開かなくても、日付や時刻などの簡単な情報を得ることができる。
【００２０】
サブ表示部１３は、バックライト機能を有している。携帯端末１０は、例えば、ユーザから一定時間キー操作などがない場合、低消費電力モードに移行し、バックライトを消灯して消費電力の低減を図る。
【００２１】
携帯端末１０は、歩数計および加速度センサを有している。携帯端末１０は、歩数計のカウント値を参照し、ユーザが歩行しているか否か判断する。携帯端末１０は、ユーザが一定時間歩行していないと判断すると、自身を保持状態（置かれた状態、静止状態を保持した状態）に設定する。
【００２２】
携帯端末１０は、加速度センサの出力を監視し、保持状態が維持されているか否か判断する。携帯端末１０は、加速度センサの出力より、例えば、ユーザがサブ表示部１３を見るために携帯端末１０を持ち上げたなどを検出すると、保持状態を解除する。そして、携帯端末１０は、加速度センサの出力から、自身の傾きを検出し、ユーザがサブ表示部１３を見るために自身が動かされたことを判断すると、サブ表示部１３のバックライトを点灯する。
【００２３】
このように、携帯端末１０は、一定時間ユーザが歩行していない場合、自身を保持状態に設定する。その後、携帯端末１０は、ユーザによる自身の動きを検知し、サブ表示部１３のバックライトを点灯する。
【００２４】
これにより、ユーザは、静止した携帯端末１０を持ち上げることなどによって容易にバックライトを点灯させることができる。また、携帯端末１０は、自動でユーザが歩行していないことを検知し、保持状態を設定するので、ユーザは、サブ表示部１３を見るために携帯端末１０を所定の傾きに一定時間維持させるなどの時間を要することなく、直ちにバックライトを点灯させることができる。
【００２５】
図３は、図２の携帯端末のブロック構成図である。図に示すように携帯端末１０は、制御部２１、メイン表示部２２、サブ表示部２３、操作部２４、加速度センサ２５、歩数計２６、通信部２７および音声処理部２８を有している。
【００２６】
制御部２１は、ＣＰＵ（Central Processing Unit）２１ａ、メモリ２１ｂ、およびタイマ２１ｃを有している。
ＣＰＵ２１ａは、携帯端末１０の全体を制御する。ＣＰＵ２１ａは、メモリ２１ｂに格納されるアプリケーションプログラムに基づいて、携帯端末１０の全体を制御する。
【００２７】
メモリ２１ｂは、ＣＰＵ２１ａの実行するアプリケーションプログラムやＣＰＵ２１ａの処理に必要な各種データが保存される。
タイマ２１ｃは、所定時間を計測するためのタイマである。
【００２８】
メイン表示部２２は、図２で説明した携帯端末１０の蓋部１２のメイン表示部である。メイン表示部２２は、例えば、ＬＣＤである。
サブ表示部２３は、図２で説明したサブ表示部１３である。サブ表示部２３は、バックライト２３ａを有している。サブ表示部２３は、例えば、ＬＣＤである。
【００２９】
なお、メイン表示部２２も図示していないがバックライトを有し、携帯端末１０が低消費電力モードに移行した場合、バックライトを消灯する。例えば、ユーザが一定時間キー操作をしなかった場合、低消費電力モードに移行し、バックライトを消灯する。メイン表示部２２のバックライトは、例えば、蓋部１２が開かれたときに、低消費電力モードから通常モード（通常電力で動作するモード）に移行し、点灯する。
【００３０】
操作部２４は、図２で説明した携帯端末１０の本体部１１の操作部である。また、携帯端末１０の本体部１１の横に設けられるサイドキーである。
加速度センサ２５は、携帯端末１０の加速度を検出する。ＣＰＵ２１ａは、加速度センサ２５の出力（加速度）により、携帯端末１０に生じる力および携帯端末１０の傾きを得ることができる。
【００３１】
歩数計２６は、携帯端末１０を所持するユーザの歩数をカウントする。歩数計２６は、加速度センサから出力される加速度に基づいて、ユーザの歩数をカウントする。
通信部２７は、アンテナによって受信した信号を増幅および復調等の処理を行って受信データを得る。通信部２７は、受信データを制御部２１に出力する。また、通信部２７は、制御部２１から出力される送信データを変調および増幅等の処理を行ってアンテナに出力する。
【００３２】
音声処理部２８は、ユーザの音声信号をデジタル信号に変換し、制御部２１に出力する。また、音声処理部２８は、制御部２１から出力されるデータを音声信号に変換し、音声を出力する。
【００３３】
サブ表示部２３のバックライト２３ａの点灯について説明する。ＣＰＵ２１ａは、例えば、ユーザから操作部２４のキー操作を一定時間受け付けなかった場合、低消費電力モードに移行し、バックライト２３ａを消灯する。
【００３４】
ＣＰＵ２１ａは、歩数計２６から歩数を読み取り、さらに、所定時間経過後に歩数計２６から歩数を読み取る。ＣＰＵ２１ａは、所定時間経過後の歩数（歩数計２６のカウント値）が前回読み取った歩数（歩数計２６のカウント値）に対して変化している場合、ユーザは歩行していると判断する。また、歩数計２６の歩数が変化していなければ、ユーザは歩行していないと判断する。なお、所定時間は、タイマ２１ｃによって計測することができる。
【００３５】
ＣＰＵ２１ａは、ユーザが一定時間歩行していないと判断すると、携帯端末１０を保持状態に設定する。例えば、ＣＰＵ２１ａは、メモリ２１ｂに保持状態フラグの領域を設け、保持状態フラグを‘１’にすることにより、携帯端末１０を保持状態に設定する。
【００３６】
ＣＰＵ２１ａは、携帯端末１０を保持状態にした後、加速度センサ２５の加速度を監視し、携帯端末１０に力が加わったか否か判断する。例えば、ユーザがサブ表示部２３を見るために携帯端末１０を持ち上げた場合、携帯端末１０に力が加わり、加速度が生じる。ＣＰＵ２１ａは、加速度センサ２５の出力に基づき、携帯端末１０に力が加わったと判断すると、携帯端末１０の保持状態を解除する。
【００３７】
ＣＰＵ２１ａは、保持状態を解除すると、加速度センサ２５のセンサ値（加速度）を取得する。ＣＰＵ２１ａは、加速度センサ２５のセンサ値から携帯端末１０の傾きを取得する。
【００３８】
ＣＰＵ２１ａは、保持状態解除後、所定時間内に携帯端末１０の傾きが所定以上変化したか否か判断する。ＣＰＵ２１ａは、保持状態解除後、所定時間内に携帯端末１０の傾きが所定以上変化したと判断した場合、サブ表示部２３のバックライト２３ａを点灯する。ＣＰＵ２１ａは、所定時間内に携帯端末１０の傾きが所定以上変化しなかった場合、歩数の取得処理に戻る。
【００３９】
なお、所定時間は、タイマ２１ｃによって計測することができる。また、所定時間内に限って携帯端末１０の傾きの変化を検出するのは、傾きの変化を検出する時間を長くすると、その処理に電力を消費するからである。
【００４０】
携帯端末１０の処理の一例を、フローチャートを用いて説明する。
図４は、携帯端末の動作の一例を示したフローチャートである。
ステップＳ１において、ＣＰＵ２１ａは、歩数計２６からユーザの歩数（歩数計２６のカウント値）を読み取る。ＣＰＵ２１ａは、読み取ったカウント値を変数Ａ０に格納する。
【００４１】
ステップＳ２において、ＣＰＵ２１ａは、歩数計２６から１５秒経過後のユーザの歩数（歩数計２６のカウント値）を読み取る。ＣＰＵ２１ａは、読み取ったカウント値を変数Ａ１に格納する。なお、ＣＰＵ２１ａは、１５秒の経過をタイマ２１ｃによって認識することができる。
【００４２】
ステップＳ３において、ＣＰＵ２１ａは、変数Ａ０と変数Ａ１とを比較し、同じ値ならば、ステップＳ４へ進む。異なる値ならば、ステップＳ１へ進む。すなわち、ＣＰＵ２１ａは、ユーザが歩行していなければ、携帯端末１０を保持状態にすべく、ステップＳ４へ進み、ユーザが歩行していれば、再度ユーザが歩行しているか否か判断するため、ステップＳ１へ進む。
【００４３】
ステップＳ４において、ＣＰＵ２１ａは、携帯端末１０を保持状態に設定する。
ステップＳ５において、ＣＰＵ２１ａは、加速度センサ２５の出力を監視し、携帯端末１０の保持状態が解除されたか否か判断する。すなわち、ＣＰＵ２１ａは、加速度センサ２５の出力により、携帯端末１０に力が加わったか否か判断する（ユーザがサブ表示部２３を見るために携帯端末１０を動かしたか否か判断する）。ＣＰＵ２１ａは、保持状態が解除された場合、ステップＳ６へ進む。
【００４４】
ステップＳ６において、ＣＰＵ２１ａは、加速度センサ２５から出力される加速度に基づき、携帯端末１０の傾きを取得する。ＣＰＵ２１ａは、携帯端末１０の傾きを変数Ｂ１に格納する。
【００４５】
ステップＳ７において、ＣＰＵ２１ａは、保持状態の解除後において、携帯端末１０の傾きの変化が３０度より大きく、かつ、５００ｍｓ経過しているか否か判断する。ＣＰＵ２１ａは、５００ｍｓ経過前に、携帯端末１０の傾きが３０度より大きく変化した場合、ステップＳ８へ進む。ＣＰＵ２１ａは、５００ｍｓ経過していないが、携帯端末１０の傾きが３０度より大きく変化していない場合は、ステップＳ６へ進む。ＣＰＵ２１ａは、携帯端末１０の傾きが３０度より大きく変化することなく、５００ｍｓ経過した場合は、ステップＳ１へ進む。
【００４６】
ステップＳ８において、ＣＰＵ２１ａは、サブ表示部２３のバックライト２３ａを一定時間点灯する。
このように、携帯端末１０は、一定時間ユーザが歩行していない場合、自身を保持状態に設定する。そして、携帯端末１０は、ユーザによる自身の動きを検知して保持状態を解除し、所定時間内に所定の傾き以上にされた場合、サブ表示部２３のバックライト２３ａを点灯する。
【００４７】
これにより、ユーザは、静止した携帯端末１０を持ち上げることなどによって容易にバックライト２３ａを点灯させることができる。また、携帯端末１０は、自動でユーザが歩行していないことを検知し、保持状態を設定するので、ユーザは、サブ表示部１３を見るために携帯端末１０を所定の傾きに一定時間維持させるなどの時間を要することなく、直ちにバックライトを点灯させることができる。
【００４８】
なお、携帯端末１０は、所定時間内に傾きを検出する際、加速度センサ２５の出力をモニタし、携帯端末１０に所定以上の力が働いた場合は、バックライト２３ａを点灯しないようにすることもできる。これは、ユーザが携帯端末１０を振ったり、強い衝撃や振動が加わったりしただけでバックライト２３ａが点灯しないようにするためである。
【００４９】
例えば、図４のステップＳ７において、ＣＰＵ２１ａは、ステップＳ７の条件に加え、加速度センサ２５の出力より、携帯端末１０に働く力をモニタする。ＣＰＵ２１ａは、例えば、携帯端末１０に１４００ｍＧ以上の力が働いた場合、他の条件を満たしていても、ステップＳ１に進む。
【００５０】
また、上記説明では、サブ表示部２３のバックライト２３ａについて説明したが、メイン表示部２２についてもバックライト機能を有する場合は、同様の処理を行うことができる。
【００５１】
次に、第２の実施の形態を図面を参照して詳細に説明する。第１の実施の形態では、保持状態の解除後を起点とした携帯端末の状態から、所定時間内における所定の傾きの変化を検出して、バックライトを点灯させた。第２の実施の形態では、保持状態に設定する前の携帯端末の状態から、所定時間内における所定の傾きの変化を検出して、バックライトを点灯させる。
【００５２】
第２の実施の形態に係る携帯端末のブロック構成は、図３と同様である。ただし、ＣＰＵ２１ａの機能が一部異なる。
第２の実施の形態では、ＣＰＵ２１ａは、携帯端末１０を保持状態に設定する前に、加速度センサ２５の出力値から、携帯端末１０の傾きを取得する。ＣＰＵ２１ａは、所定時間内に携帯端末１０の保持状態設定前の傾きと保持状態解除後の傾きの変化が所定以上になった場合、バックライト２３ａを点灯する。その他の機能は、図３で説明したのと同様である。
【００５３】
図５は、第２の実施の形態に係る携帯端末の動作の一例を示したフローチャートである。
ステップＳ１１−Ｓ１３は、図４で示したフローチャートのステップＳ１−Ｓ３と同様であり、その詳細な説明は省略する。
【００５４】
ステップＳ１４において、ＣＰＵ２１ａは、加速度センサ２５から出力される加速度に基づき、携帯端末１０の傾きを取得する。ＣＰＵ２１ａは、携帯端末１０の傾きを変数Ｂ１に格納する。
【００５５】
ステップＳ１５において、ＣＰＵ２１ａは、携帯端末１０を保持状態に設定する。
ステップＳ１６において、ＣＰＵ２１ａは、加速度センサ２５の出力を監視し、携帯端末１０の保持状態が解除されたか否か判断する。すなわち、ＣＰＵ２１ａは、加速度センサ２５の出力により、携帯端末１０に力が加わったか否か判断する（ユーザがサブ表示部２３を見るために携帯端末１０を動かしたか否か判断する）。ＣＰＵ２１ａは、保持状態が解除された場合、ステップＳ１７へ進む。
【００５６】
ステップＳ１７において、ＣＰＵ２１ａは、加速度センサ２５から出力される加速度に基づき、携帯端末１０の傾きを取得する。ＣＰＵ２１ａは、携帯端末１０の傾きを変数Ｂ２に格納する。
【００５７】
ステップＳ１８において、ＣＰＵ２１ａは、携帯端末１０の保持状態の設定前と設定解除後の傾きの変化が３０度より大きく、かつ、５００ｍｓ経過しているか否か判断する。すなわち、ＣＰＵ２１ａは、Ｂ２−Ｂ１が３０度より大きいか否か判断する。ＣＰＵ２１ａは、５００ｍｓ経過前に、携帯端末１０の傾きが３０度より大きく変化した場合、ステップＳ１９へ進む。ＣＰＵ２１ａは、５００ｍｓ経過していないが、携帯端末１０の傾きが３０度より大きく変化していない場合は、ステップＳ１７へ進む。ＣＰＵ２１ａは、携帯端末１０の傾きが３０度より大きく変化することなく、５００ｍｓ経過した場合は、ステップＳ１１へ進む。
【００５８】
ステップＳ１９において、ＣＰＵ２１ａは、サブ表示部２３のバックライト２３ａを一定時間点灯する。
このように、携帯端末１０は、一定時間ユーザが歩行していない場合、自身を保持状態に設定する。そして、携帯端末１０は、ユーザによる自身の動きを検知して保持状態を解除し、保持状態の設定前と解除後の傾きの変化が所定時間内に所定以上変化した場合に、サブ表示部１３のバックライトを点灯する。
【００５９】
これにより、ユーザは、静止した携帯端末１０を持ち上げることなどによって容易にバックライト２３ａを点灯させることができる。また、携帯端末１０は、自動でユーザが歩行していないことを検知し、保持状態を設定するので、ユーザは、サブ表示部１３を見るために携帯端末１０を所定の傾きに一定時間維持させるなどの時間を要することなく、直ちにバックライトを点灯させることができる。
【００６０】
なお、第１の実施の形態と同様に、携帯端末１０は、所定時間内に傾きを検出する際、加速度センサ２５の出力をモニタし、携帯端末１０に所定以上の力が働いた場合は、バックライト２３ａを点灯しないようにすることもできる。また、サブ表示部２３のバックライト２３ａについて説明したが、メイン表示部２２についてもバックライト機能を有する場合は、同様の処理を行うことができる。
【００６１】
次に、第３の実施の形態を図面を参照して詳細に説明する。ユーザが携帯端末のサブ表示部を見るとき、携帯端末を振ったり揺らしたりしながら見るということは考えられない。通常、ユーザは、携帯端末をある状態に維持して見る。そこで、第３の実施の形態では、携帯端末は、所定時間内に所定以上の傾きの変化を検出し、その検出した傾きの変化が所定時間維持された場合に、バックライトを点灯する。
【００６２】
第３の実施の形態に係る携帯端末のブロック構成は、図３と同様である。ただし、ＣＰＵ２１ａの機能が一部異なる。
第３の実施の形態では、ＣＰＵ２１ａの機能は、第２の実施の形態と同様であるが、携帯端末１０の傾きの変化を検出する際、その傾きの変化が所定時間維持（例えば、１００ｍｓ）されているか判断する。ＣＰＵ２１ａは、所定時間内に携帯端末１０の保持状態解除前と保持状態解除後の傾きの変化が所定以上となり、さらに、その傾きの変化が所定時間維持された場合にバックライト２３ａを点灯する。その他の機能は、第２の実施の形態で説明したのと同様である。
【００６３】
図６は、第３の実施の形態に係る携帯端末の動作の一例を示したフローチャートである。
ステップＳ３１−Ｓ３７は、図５で示したフローチャートのステップＳ１１−Ｓ１７と同様であり、その詳細な説明は省略する。
【００６４】
ステップＳ３８において、ＣＰＵ２１ａは、携帯端末１０の保持状態の設定前と設定解除後の傾きが３０度より大きく変化し、かつ、５００ｍｓ経過しているか否か判断する。また、ＣＰＵ２１ａは、携帯端末１０の傾きの変化が３０度より大きくなり、その傾きの変化が１００ｍｓ維持されたか否か判断する。すなわち、ＣＰＵ２１ａは、５００ｍｓ以内に、携帯端末１０の傾きが３０度より大きく変化し、３０度を超えた傾きの変化が１００ｍｓ維持された場合、ステップＳ３９へ進む。ＣＰＵ２１ａは、５００ｍｓ経過していないが、携帯端末１０の傾きの変化が３０度より大きくなっていない場合は、ステップＳ３７へ進む。ＣＰＵ２１ａは、携帯端末１０の傾きの変化が３０度より大きくなることなく、５００ｍｓ経過した場合、または、携帯端末１０の傾きの変化が３０度より大きくなったが、その傾きが１００ｍｓ維持されず５００ｍｓを経過した場合は、ステップＳ３１へ進む。
【００６５】
ステップＳ３９において、ＣＰＵ２１ａは、サブ表示部２３のバックライト２３ａを一定時間点灯する。
このように、携帯端末１０は、所定時間内に所定以上の傾きの変化を検出し、その傾きの変化が所定時間維持された場合に、バックライト２３ａを点灯する。
【００６６】
これにより、携帯端末１０は、ユーザがサブ表示部２３を見ていると判断される場合のみ、バックライト２３ａを点灯することが可能となる。
なお、上記では、第２の実施の形態に、所定以上の傾きが所定時間維持されたか否かの判断を適用するようにしたが、もちろん、第１の実施の形態にも適用することができる。
【００６７】
また、第１の実施の形態と同様に、携帯端末１０は、所定時間内に傾きを検出する際、加速度センサ２５の出力をモニタし、携帯端末１０に所定以上の力が働いた場合は、バックライト２３ａを点灯しないようにすることもできる。また、サブ表示部２３のバックライト２３ａについて説明したが、メイン表示部２２についてもバックライト機能を有する場合は、同様の処理を行うことができる。
【００６８】
以上説明した実施形態に関して、更に以下の付記を開示する。
（付記１）  表示装置と、
ユーザの歩数情報を取得する歩数情報取得手段と、
前記歩数情報取得手段からの歩数情報によって前記ユーザが歩行しているか否か判断する歩行判断手段と、
携帯端末の傾きを検出する傾き検出手段と、
前記歩行判断手段によって前記ユーザが歩行していないと判断された後、前記傾き検出手段によって所定以上の傾きの変化が検出された場合、前記表示装置を点灯する表示制御手段と、
を有することを特徴とする携帯端末。
【００６９】
（付記２）  前記制御表示手段は、前記所定以上の傾きの変化が所定時間内に検出された場合、前記表示装置を点灯することを特徴とする付記１記載の携帯端末。
（付記３）  前記表示制御手段は、当該携帯端末に所定以上の力が働いた場合には、前記表示装置を点灯しないことを特徴とする付記１記載の携帯端末。
【００７０】
（付記４）  前記歩行判断手段によって前記ユーザが歩行してないと判断された場合、当該携帯端末を保持状態に設定する保持状態設定手段と、
当該携帯端末に力が働いた場合、前記保持状態を解除する保持状態解除手段と、
を有し、
前記表示制御手段は、前記保持状態の解除後、前記傾き検出手段によって前記所定以上の傾きの変化が検出された場合に前記表示装置を点灯することを特徴とする付記１記載の携帯端末。
【００７１】
（付記５）  前記表示制御手段は、所定時間当該携帯端末が前記所定以上の傾きの変化を維持していた場合に前記表示装置を点灯することを特徴とする付記４記載の携帯端末。
（付記６）  前記歩行判断手段によって前記ユーザが歩行してないと判断された場合、当該携帯端末を保持状態に設定する保持状態設定手段と、
当該携帯端末に力が働いた場合、前記保持状態を解除する保持状態解除手段と、
を有し、
前記表示制御手段は、前記傾き検出手段によって検出された前記保持状態の設定前の傾きと前記保持状態の解除後の傾きとの変化が所定以上の場合、前記表示装置を点灯することを特徴とする付記１記載の携帯端末。
【００７２】
（付記７）  前記表示制御手段は、所定時間当該携帯端末が前記所定以上の傾きの変化を維持していた場合に前記表示装置を点灯することを特徴とする付記６記載の携帯端末。
【図面の簡単な説明】
【００７３】
【図１】携帯端末の概要を説明する図である。
【図２】第１の実施の形態に係る携帯端末の外観を示した図である。
【図３】図２の携帯端末のブロック構成図である。
【図４】携帯端末の動作の一例を示したフローチャートである。
【図５】第２の実施の形態に係る携帯端末の動作の一例を示したフローチャートである。
【図６】第３の実施の形態に係る携帯端末の動作の一例を示したフローチャートである。
【符号の説明】
【００７４】
１  携帯端末
２  表示装置
３  歩数情報取得手段
４  歩行判断手段
５  傾き検出手段
６  バックライト点灯手段
【図１】
0005045565.tif 000002
【図２】
0005045565.tif 000003
【図３】
0005045565.tif 000004
【図４】
0005045565.tif 000005
【図５】
0005045565.tif 000006
【図６】
0005045565.tif 000007